(57)【特許請求の範囲】
【請求項１】
ある一方向を向く直線偏光成分を透過させ、それと直交する直線偏光成分を透過させない第１偏光分離手段と、
前記第１偏光分離手段から出た直線偏光を受ける位置に配置され、透過する偏光の偏光軸を変化させる状態と変化させない状態とのいずれかを選択できる透過偏光軸可変手段と、
前記透過偏光軸可変手段を挟んで前記第１偏光分離手段の反対側に配置され、ある一方向の直線偏光成分を透過させ、それと直交する直線偏光成分を前記透過偏光軸可変手段に向けて鏡面反射する平滑面を有する第２偏光分離手段と、
着色層からなる第１光学素子と、
反射層と、
発光手段と、
をこの順で積層してなることを特徴とする電子時計。
【請求項２】
請求項１において、前記反射層は、前記第２偏光分離手段側から前記発光手段に向かう光を乱反射することを特徴とする電子時計。
【請求項３】
請求項１または２において、前記透過偏光軸可変手段と前記第２偏光分離手段との間にさらに第２光学素子が設けられ、前記第２光学素子は、光拡散層または光散乱層であることを特徴とする電子時計。
【請求項４】
請求項１〜３のいずれかにおいて、前記発光手段はＥＬ素子またはＬＥＤ素子を含むことを特徴とする電子時計。
【請求項５】
請求項１〜４のいずれかにおいて、前記透過偏光軸可変手段は、ＴＮ液晶層、ＳＴＮ液晶層、またはＥＣＢ液晶層であることを特徴する電子時計。
【請求項６】
ある一方向を向く直線偏光成分を透過させ、それと直交する直線偏光成分を透過させない第１偏光分離手段と、
前記第１偏光分離手段から出た直線偏光を受ける位置に配置され、透過する偏光の偏光軸を変化させる状態と変化させない状態とのいずれかを選択できる透過偏光軸可変手段と、
前記透過偏光軸可変手段を挟んで前記第１偏光分離手段の反対側に配置され、ある一方向の直線偏光成分を透過させ、それと直交する直線偏光成分を前記透過偏光軸可変手段に向けて鏡面反射する平滑面を有する第２偏光分離手段と、
着色層からなる第１光学素子と、
反射層と、
発光手段と、
をこの順で積層してなることを特徴とする液晶表示素子。
【請求項７】
請求項６において、前記反射層は、前記第２偏光分離手段側から前記発光手段に向かう光を乱反射することを特徴とする液晶表示素子。
【請求項８】
請求項６または７において、前記透過偏光軸可変手段と前記第２偏光分離手段との間にさらに第２光学素子が設けられ、前記第２光学素子は、光拡散層または光散乱層であることを特徴とする液晶表示素子。
【請求項９】
請求項６〜８のいずれかにおいて、前記発光手段はＥＬ素子またはＬＥＤ素子を含むことを特徴とする液晶表示素子。
【請求項１０】
請求項６〜９のいずれかにおいて、前記透過偏光軸可変手段は、ＴＮ液晶層、ＳＴＮ液晶層、またはＥＣＢ液晶層であることを特徴とする液晶表示素子。
【発明の詳細な説明】
【０００１】
【発明の属する技術分野】
また、本発明は、腕時計、ストップウオッチ等のように、時を計数して表示する電子時計に関する。
【０００２】
【従来の技術】
従来より、液晶表示装置等といったフラットディスプレイ装置を用いて数字、文字その他の情報を表示するようにした表示素子は広く知られている。例えば、今、そのような表示素子のうちの１つとして液晶表示装置を用いた電子時計を考えれば、その電子時計は、液晶パネルを挟んでその両側に一対の第１、第２偏光板を配置し、さらに、第２偏光板の裏側に発光要素を配置することによって構成される。
【０００３】
この従来の電子時計では、昼間の明るい間は外部光を用いて数字等の情報を表示し、夜間の暗い間は必要に応じて発光要素を発光させてその光を用いて数字等の情報を表示する。また、数字等の情報の表示は、液晶パネルの電極間に所定電圧を印加することによって行い、電圧が印加されない領域は白色等の背景地となる。
【０００４】
従来では、外部光を用いて表示を行うときには、発光要素からの反射色の背景地の上に黒の数字等が時刻表示その他の情報表示として表示される。
【０００５】
また、発光要素からの発光を用いて表示を行うときには、発光要素の発光色の背景地の上に黒の数字等が時刻その他の情報として表示される。
【０００６】
【発明が解決しようとする課題】
上記従来の電子時計においては、液晶パネルを挟んで２枚の偏光板が設けられ、これらの偏光板は所定偏光軸以外の直線偏光を吸収する機能を有するので、背景色や数字等の情報を表示するために外部へ導かれる光の強度の減衰が大きく、それ故、数字等の情報が暗くて見難いという問題があった。
【０００７】
また、理論的に言えば、発光要素の表面に適宜の色のカラーフィルタを設けることにより、見る者に対して背景色や数字等の情報を種々の色で表示できるのであるが、実際問題としては光の減衰が大きくてそのような種々の色表示は実現できず、明るい白色又は灰色等で表示せざるを得なかった。
【０００８】
本発明は、従来の表示素子における上記の問題点に鑑みて成されたものであって、数字等の情報及び背景色に関する表示形態を光沢のある銀色の金属メタリック調等で表示することを可能とし、これにより、高級感のある表示をできるようにすることを目的とする。
【００１０】
【課題を解決するための手段】
前述の目的を達成するため、本発明の電子時計は、ある一方向を向く直線偏光成分を透過させ、それと直交する直線偏光成分を透過させない第１偏光分離手段と、前記第１偏光分離手段から出た直線偏光を受ける位置に配置され、透過する偏光の偏光軸を変化させる状態と変化させない状態とのいずれかを選択できる透過偏光軸可変手段と、前記透過偏光軸可変手段を挟んで前記第１偏光分離手段の反対側に配置され、ある一方向の直線偏光成分を透過させ、それと直交する直線偏光成分を前記透過偏光軸可変手段に向けて鏡面反射する平滑面を有する第２偏光分離手段と、着色層からなる第１光学素子と、反射層と、発光手段と、をこの順で積層してなることを特徴とする。
【００１１】
上記の各構成において、第１偏光分離手段は通常の偏光板によって構成できる。通常の偏光板というのは、自然光の入射に対してある一方向の直線偏光を出射する機能を有するフィルム状部材であり、例えば、偏光層をＴＡＣ（三酢酸セルロース）の保護層で挟むことによって形成できる。
【００１２】
上記透過偏光軸可変手段は、例えば、液晶パネルを用いて構成できる。液晶としては、ＴＮ（Twisted Nematic）液晶、ＳＴＮ（Super-Twisted Nematic）液晶、ＥＣＢ（Electrically Controlled Birefringence）液晶等といった各種液晶を用いることができる。なお、ＳＴＮ液晶の中には、Ｆ−ＳＴＮ（Film Compensated Super-Twisted Nematic）液晶等といった色補償用光学異方体を用いるＳＴＮ液晶も含まれる。
【００１３】
上記第２偏光分離手段は、▲１▼国際公開された国際出願（国際公開番号ＷＯ９５／１７６９２又はＷＯ９５／２７９１９）に開示されたように薄膜を多数枚積層した構造の偏光分離フィルムや、▲２▼コレステリック液晶層の両側又は片側に（１／４）λ板を配設した構造の偏光分離板や、▲３▼ブリュースターの角度を利用して反射偏光と透過偏光とに分離する構造の偏光分離部材（ＳＩＤ  ９２  ＤＩＧＥＳＴ  第４２７頁から第４２９頁）や、あるいは、▲４▼ホログラムを利用した偏光分離部材等を用いて構成できる。
【００１４】
上記構成の本発明において特徴となる点は、従来の電子時計において透過偏光軸可変手段の裏側に配設していた偏光板の代わりに、前記第２偏光分離手段を設けたこと、そしてさらにその第２偏光分離手段の透過偏光軸可変手段に対向する面を、光を鏡面反射させる平滑面としたことである。
【００１５】
一般的な偏光板が、ある一方向を向く直線偏光成分を透過させると共にそれと直交する偏光成分を吸収等によって透過させないという機能を奏するのに対し、この第２偏光分離手段は、ある一方向の直線偏光成分を透過させると共にそれと直交する直線偏光成分を反射し、特に、透過偏光軸に対して直角方向の直線偏光は全反射（鏡面反射）するという機能を奏するものである。
【００１６】
従って、通常の偏光板等に代えて上記構成の第２偏光分離手段を用いるようにすれば、従来であれば偏光板によって吸収又は分散されていた光を反射によって表示に寄与させることができるので、電子時計の背景色又は数字等の情報を明るく表示できる。この結果、第２偏光分離手段の表面側（見る側）に光散乱層すなわち光拡散層を設けることなく該表面側を光を鏡面反射させる平滑面としたときに、その鏡面反射光を減衰させることなく十分な光量のままで見る者に提供できる。また、第２偏光分離手段の表面側に光散乱層（光拡散層）を設けると、第２偏光分離手段により鏡面反射された光が散乱され、充分な光量のまま柔らかい光線を見ることができる。
【００１７】
第２偏光分離手段からの鏡面反射光は、第１偏光分離手段の偏光軸の設定の如何により、背景色として表示されたり、あるいは、数字等の情報として表示されたりするが、いずれの場合でも、見る者に対して光沢のある銀色の金属メタリック調の高級感ある表示状態を提供できる。なお、通常の電子時計では数字等の情報表示領域は背景色領域に対して面積が小さいと考えられ、よって、鏡面反射光によって背景色を表示する場合の方が、より強く高級感を表現できると考えられる。
【００１９】
この構成によれば、鏡面反射を行う明るい第２偏光板を用いた，小型で，低消費電力の電子時計を得ることができる。
【００２０】
また、本発明の電子時計は、前記反射層は、前記第２偏光板側から発光手段に向かう光を乱反射することを特徴とする。
【００２１】
この構成によれば、反射層による乱反射により、外部光を白濁することができ，白色の明るい地またはセグメントの色を得ることができる。
【００２５】
この構成によれば、外部光を用いたとき、第２偏光分離手段（第２偏光板）を透過する偏光成分は，着色層，反射層、着色層を介して再び第２偏光分離手段を透過して外部に出ていく。そのため、第２偏光分離手段を反射する偏光成分による色（ＴＮ液晶層と第２偏光分離手段との間に第２光学素子がないときには銀色ミラー色であり，ＴＮ液晶層と第２偏光分離手段との間に拡散層等の第２光が区素子があるときには白色）と，第２偏光分離手段を透過する偏光成分による色（着色層による着色）と、を対比することができ、コントラストが向上する。
【００２６】
この場合、着色層としては、オレンジフィルター，緑フィルター等を用いることができ、第２偏光分離手段を透過する偏光成分による色は、それぞれ、オレンジフィルターを用いたときにはオレンジ色、緑フィルターを用いたときには緑色となる。
【００２７】
この場合、発光手段による発光色は，ＥＬ素子を用いた場合は薄緑、ＬＥＤを用いた場合は赤、緑等があるが，同じ液晶層の部位（オンオフを同じとしておいたとき）発光手段による発光色（発光手段オン）と外部光による色（発光手段オフ）とに差を大きくつけることが可能になり、ユーザーに注意を促すこと可能になる。
【００２８】
さらに、本発明の電子時計は、前記透過偏光軸可変手段と前記第２偏光分離手段との間にさらに第２光学素子が設けられ、前記第２光学素子は、光拡散層または光散乱層であることを特徴とする。
【００３２】
これら（７〜１０）の構成によれば、外部光を用いたとき、外部光のうち第２偏光分離手段により鏡面反射される偏光成分の光を、拡散または散乱することができ、ユーザには白色に見えるため、明るいながらも銀色のようにどぎつくない柔らかい色調を得ることができ，見やすい電子時計が得られる。
【００４０】
本発明の電子時計は、前記透過偏光軸可変手段と前記発光手段との間に透光性のカラー層を設けてもよい。特に透過偏光軸可変手段と第２偏光分離手段との間にカラー層を設ければ、銀色に限られることなく種々の色によって光沢ある金属メタリック調を表現できる。特に、カラー層として金色層を用いれば、金色の光沢ある金属メタリック調を表現でき、その結果、より高級感ある表示を提供できる。
なお、カラー層の形成の仕方としては、第２偏光分離手段のうちの透過偏光軸可変手段に対向する表面及び透過偏光軸可変手段のうちの第２偏光分離手段に対向する表面の少なくともいずれか一方に、適宜の色のカラーフィルムを貼着したり、あるいは、金属微粒子その他のカラー微粒子を透光性を確保できる程度の密度で吹き付ける等といった方法が考えられる。
【００４１】
本発明の電子時計において、前記発光手段は、ＥＬ素子またはＬＥＤ素子を含むことを特徴とする。
【００４５】
これら発光手段は、面発光型のＥＬ素子を用いることができる。この場合、小型な電子時計を得ることができる。また、面発光型のＬＥＤ素子や、サイドライト型のＬＥＤ素子を用いることができ，低消費電力化が可能となる。
【００４６】
また、第２偏光分離手段を透過する発光色と、第２偏光分離手段により反射される外部光とを，色に差異を付けることにより、ユーザーの注意を促すことが可能になる。
【００４７】
また、セグメントの色を発光手段の発光色とすることができ、明るい表示が可能となる。
【００５１】
本発明の電子時計において、前記透過偏光軸可変手段は、ＴＮ液晶層、ＳＴＮ液晶層、またはＥＣＢ液晶層であることを特徴する。
【００５５】
本発明の液晶表示素子は、ある一方向を向く直線偏光成分を透過させ、それと直交する直線偏光成分を透過させない第１偏光分離手段と、前記第１偏光分離手段から出た直線偏光を受ける位置に配置され、透過する偏光の偏光軸を変化させる状態と変化させない状態とのいずれかを選択できる透過偏光軸可変手段と、前記透過偏光軸可変手段を挟んで前記第１偏光分離手段の反対側に配置され、ある一方向の直線偏光成分を透過させ、それと直交する直線偏光成分を前記透過偏光軸可変手段に向けて鏡面反射する平滑面を有する第２偏光分離手段と、着色層からなる第１光学素子と、反射層と、発光手段と、をこの順で積層してなることを特徴とする。
また、本発明の液晶表示素子は、前記反射層は、前記第２偏光分離手段側から前記発光手段に向かう光を乱反射することを特徴とする。
さらに、本発明の液晶表示素子は、前記透過偏光軸可変手段と前記第２偏光分離手段との間にさらに第２光学素子が設けられ、前記第２光学素子は、光拡散層または光散乱層であることを特徴とする。
加えて、本発明の液晶表示素子は、前記発光手段はＥＬ素子またはＬＥＤ素子を含むことを特徴とする。
最後に、本発明の液晶表示素子は、前記透過偏光軸可変手段は、ＴＮ液晶層、ＳＴＮ液晶層、またはＥＣＢ液晶層であることを特徴とする。
【００５６】
また、第１光学素子として着色層を備えている場合に、バックライトを点灯すると，外部に出射する色は、着色層を透過することによって着色された発光色となる。この場合、ＥＬ素子を用いたときは、ＥＬの波長特性が緩やかなので、ＥＬの発光色は淡く、発光色がかった着色層の色となって見える。一方、ＬＥＤを用いたときは、ＬＥＤの波長特性は急峻のため、着色層の色との相性を合わせないと、着色層を効率よく発光光が透過しない。このＬＥＤを用いたときの着色層は、波長特性を持ったバンドパスフィルタが望ましい。
【００５７】
さらに，以下のような種種の実施態様を取ることが可能である。
【００５８】
（１）第２偏光分離手段を挟んで透過偏光軸可変手段の反対側、換言すれば、見る者にとって第２偏光分離手段の裏側に光散乱層を設けることが望ましい。こうすれば、背景色が金属光沢色で表示されるときには、数字等の情報を非光沢色によって表示してそれを目立たせることができ、他方、数字等の情報が鏡面光沢色で表示されるときには、背景色を非光沢色で表示して数字等を目立たせることができる。
【００５９】
（２）上記第２偏光分離手段を通して上記透過偏光軸可変手段へ光を放射する発光手段を設けることができる。発光手段としては、▲１▼ＥＬ（Electro Luminescence）のような平面発光体や、▲２▼平面状の発光面を備えた導光板の側端面に線状光源である冷陰極管を配置した構造の発光装置や、▲３▼平面状の発光面を備えた導光板の側端面に点状光源であるＬＥＤ（Light Emitting Diode）を複数個、列状に配置した構造の発光装置等を用いて構成できる。  本実施態様のように発光手段を構成要件として加えれば、外部自然光を用いた表示形態と発光手段を用いた表示形態とを、見る者の希望に応じて自由に選択できる。また、本発明のように、ある一方向の直線偏光を透過させると共にそれ以外の直線偏光を反射する機能を有する第２偏光分離手段を通常の偏光板に代えて用いた場合には、２枚の偏光板を用いて表示を行うようにした従来の電子時計に比べて、数字等の情報や背景色を表示する上でその表示形態を多様化できる。
【００６０】
例えば、従来装置であれば、表示の仕方を外部自然光を用いる場合と発光手段を用いる場合との間で切り換えたとき、背景色及び数字等の情報の表示形態は大きく変化することがなかった。例えば、発光要素の反射色又は発光要素の発光色を背景色としてその上に数字等が黒色等といった暗色で表示される場合には、表示の仕方が切り替わるときには、単に、背景色が発光要素の反射色になるか、あるいはその発光色になるかの違いだけである。また、黒色等といった暗色を背景色としてその上に数字等が発光要素の反射色又はその発光色で表示される場合には、表示の仕方が切り替わるときには、単に、数字等が発光要素の反射色になるか、あるいはその発光色になるかの違いだけであった。
【００６１】
以上のような従来装置に対し、今考えている発光手段を用いた構成の本発明の電子時計によれば、外部自然光を用いて表示を行う場合と発光手段を用いて表示を行う場合との間で表示の仕方を切り換えることにより、背景色及び数字等の情報の表示形態を劇的に大きく変化させることができ、見る者に対して新鮮な驚きを与えることができる。
【００６２】
例えば、外部自然光を用いる場合には、光沢のある金属メタリック調の高級感ある背景色の上に数字等の情報を目立つ色彩で表示するという表示形態を行い、その一方で、表示の仕方を発光手段を用いる方法に切り換えたときには、黒色等といった暗色の背景色の上に数字等の情報を発光手段に固有の明るい色で表示するという表示形態を実現できる。こうして、見る者に対して新鮮な驚きを与えることができる。
【００６３】
（３）上記発光手段は橙色、赤色及び黄緑色の少なくとも一色を発光するように構成することが望ましい。本発明の電子時計では、数字等の情報を発光手段の発光色によって表示できるのであるが、発光手段の発光色として上記の各色を用意しておけば、それらの色は黒色に対して目立つ色であるので、これらの色を用いて数字等の情報を表示すれば、明るくて見易く、しかも、人の目を引きつけ易い目立った表示を行うことができる。
【００６４】
（４）以上の説明では、発光手段からの発光が一色であるか、あるいは多色であるかについては特に触れていない。この点に関し、発光手段によって多色の色光を発光するように構成すれば、１つの電子時計において数字等の情報を異なるいくつかの色で表示できるようになるので表示を多様化できる。
【００６５】
（５）上記発光手段によって複数の色の発光を行う場合には、発光源の発光色それ自体に変化を持たせるようにしても良く、また、白色発光源とカラーフィルタとによって発光手段を構成することもできる。
【００６６】
（６）上記第２偏光分離手段が種々の偏光分離要素によって構成できることは既述の通りであるが、望ましくは、国際公開された国際出願（国際公開番号ＷＯ９５／１７６９２又はＷＯ９５／２７９１９）に開示された構造の偏光分離フィルムを用いてその第２偏光分離手段を構成する。この偏光分離フィルムは、例えば図２に示すように、２種類の層Ａ，Ｂを交互に積層して形成される複数層構造を有し、そして、それらの複数層Ａ，Ｂのうち積層方向に互いに隣り合う２層間において、ある一方向の屈折率はそれら２層間で等しく、それと直角方向の屈折率はそれら２層間で異なるように設定し、さらに、個々の層の層厚に変化を持たせている。
【００６７】
図２において、ＸＹＺの直交３軸方向を考えるとき、Ａ，Ｂの２層は例えば押出し成形によって多層状態に形成され、さらに、一方向（例えばＸ方向）に沿って引き延ばされ、他の一方向（すなわちＹ方向）には引き延ばされない。すなわち、Ｘ軸方向が延伸方向であり、Ｙ軸方向がそれに対する横方向である。Ｂ材料は屈折率ｎB （例えばｎB ＝１．６４）を有し、これは延伸処理によっても実質的に変化しない。一方、Ａ材料は延伸処理によって屈折率が変化する特性を有する。例えば、Ａ材料から成るシートを一軸方向に延伸処理すると、延伸方向（すなわちＸ方向）に一つの屈折率ｎAX（例えばｎAX＝１．８８）を有し、横方向（（Ｙ方向）には異なる屈折率ｎAY（例えばｎAY＝１．６４）を有するようになる。  Ａ，Ｂ材料から成る図２の積層構造をＸ方向へ延伸すれば、その延伸方向に関して大きな屈折率差Δｎ＝１．８８−１．６４＝０．２４が発生する。その一方、それと直角なＹ方向に関しては、Ａ，Ｂ各層間の屈折率差Δｎ＝１．６４−１．６４＝０であり、屈折率に差は生じない。このような光学特性のため、本偏光分離フィルム１２に光が入射すると、その入射光のうち透過軸Ｅ方向の偏光成分（（ａ）は偏光分離フィルム１２を透過する。他方、入射光のうちの吸光軸Ｆ方向の偏光成分（ｂ）は屈折率差Δｎに直面することになり、それ故、その部分で反射する。
【００６８】
さらに、Ａ，Ｂ各層間の層厚ｔ1，ｔ2，ｔ3，… … … は少しづつ寸法に変化が加えられ、それ故、図３に示すように各層の境界面で波長の異なった光（ｂ−１）、（ｂ−２）… … を反射できるようになっている。つまり、層厚を異ならせたＡ，Ｂ２種類の多層構造により、あらゆる種類の波長を含む光を効率良く反射することが可能となる。各層の層厚の組み合わせを全ての波長を反射できるように設定すれば、白色光を反射できる。
【００６９】
【発明の実施の形態】
（電子腕時計）
図４は、本発明に係る表示素子の一例である電子腕時計の一実施形態の断面構造を示している。この腕時計は、例えばプラスチック製のケース１と、そのケース１の内部に格納されたムーブメント２と、ケース１に固定されていてムーブメント２の上に位置するガラス板３と、そして、ムーブメント２を固定する裏ぶた４とを含んで構成される。符号６は、腕バンドを示している。
【００７０】
ムーブメント２は、図６に示すように、パネル枠７と、そのパネル枠７に支持された透過偏光軸可変手段としての液晶パネル８と、その液晶パネル８の外側表面（図の上側表面）に貼着された第１偏光分離手段としての偏光板１１と、液晶パネル８を挟んで偏光板１１の反対側に配置された第２偏光分離手段としての偏光分離フィルム１２と、その偏光分離フィルム１２の底面側に配設された発光手段としてのバックライト１８と、そして電池９とを有する。
【００７１】
偏光板１１は、通常の偏光板によって形成されていて、ある一方向を向く直線偏光を透過させ、それ以外の偏光を吸収、分散等して透過させないように作用する。また、偏光分離フィルム１２は、図２に示すように多数の薄膜を積層した構造の偏光分離フィルムによって構成する。既述の通り、この偏光分離フィルム１２は、ある一方向の直線偏光を透過させ、それ以外の直線偏光を吸収等ではなくて反射するように、特に透過偏光軸と直角方向の直線偏光は全反射するように作用する。
【００７２】
なお、本実施形態の偏光分離フィルム１２は、可視光域の全ての波長の光を反射できるように各層の層厚ｔ1，ｔ2，ｔ3，… … … （図２参照）が設定される。また、偏光分離フィルム１２の液晶パネル８に対向する面は、光を鏡面反射させる平滑面となっており、しかも、偏光分離フィルム１２と液晶パネル８との間には光散乱板又は光拡散板等といった光学要素は配置されない。
【００７３】
図６のバックライト１８は、例えば平面発光素子であるＥＬによって構成する。このバックライト１８の表面は、図１に示すように光を乱反射する光散乱層１８ａとなっており、また本実施形態の場合、その光散乱層１８ａの色は灰色となっている。
【００７４】
図６において、液晶パネル８は、互いに対向する一対の透明ガラス基板１３ａ及び１３ｂを有し、それらのガラス基板の間に形成された間隙、いわゆるセルギャップ内に液晶、例えばＴＮ液晶Ｌが封入される。ガラス基板１３ａ及び１３ｂには、図５に示すように数字、文字等の情報を表示するための複数の透明電極１４が形成される。本実施形態では、１桁の数字を表示するための透明電極として７セグメントに分割された透明電極を用いている。
【００７５】
一対のガラス基板１３ａ及び１３ｂのそれぞれに形成されていて、互いに対向する透明電極対１４の間には所定の電圧を印加でき、そのように電圧を印加（ＯＮ）するか、あるいは電圧を印加しない（ＯＦＦ）かによって、液晶Ｌの配向を２つの状態のうちのいずれかに設定できる。本実施形態の液晶は、それがＯＮ状態のときに直線偏光の偏光軸を変化させず、一方、それがＯＦＦ状態のときに直線偏光の偏光軸を９０゜だけ捻るように設定される。
【００７６】
以下、上記構成より成る電子腕時計についてその動作を説明する。この腕時計は、バックライト１８の発光を利用する光源形態と、バックライト１８の発光を利用することなく外部の自然光を利用する光源形態との２種類の光源形態を有する。また、腕時計の表示面に背景色を表示したい場合にはその領域の液晶パネル８をＯＦＦ状態とし、表示面に数字等といった情報を表示する場合にはその領域の液晶パネル８をＯＮ状態とする。以下、それら各種の場合を個別に説明する。
【００７７】
（パネルの説明）
（外部自然光を用いる場合）
まず、外部自然光を用いて表示を行う場合、特に背景色を表示する場合には、図１において液晶パネル８をＯＦＦ状態にする。すると、同図の矢印Ｐで示すように、外部光すなわち自然光（ランダム偏光）のうち紙面に対して平行方向の直線偏光が偏光板１１を透過し、ＯＦＦ状態にある液晶パネル８によって偏光方向が９０゜捻られて紙面に対して垂直方向の直線偏光となる。この直線偏光は波長に応じて偏光分離フィルム１２内の各層面間で反射し、そしてその反射光は、液晶パネル８及び偏光板１１を順次に透過した後に外部に表示される。
【００７８】
本実施形態では、偏光分離フィルム１２の液晶パネル８に対向する面が、光を鏡面反射させる平滑面となっており、しかも、偏光分離フィルム１２と液晶パネル８との間には光散乱板又は光拡散板等といった光学要素が配置されないので、この偏光分離フィルム１２で反射して外部へ導かれた光は、光沢のある銀色の金属メタリック調の背景地として認識される。この背景地は、見る者に対して高級感を抱かせることができる。
【００７９】
次に、外部自然光を用いて数字等の情報を表示する場合には、液晶パネル８をＯＮ状態にする。すると、矢印Ｑで示すように、偏光板１１によって外部光のうちから紙面平行方向の直線偏光が取り出され、その直線偏光が液晶パネル８を透過する。このとき液晶パネル８はＯＮ状態にあるから直線偏光の偏光方向は捻られることなく紙面平行方向を維持し、よって、この直線偏光は偏光分離フィルム１２を透過し、さらにバックライト１８の表面の光散乱層１８ａで乱反射する。この部分は、外部から見れば、光沢のある銀色の金属メタリック調の背景地の上に非光沢で灰色の暗色として表示され、これをもって、観察者によって数字等の情報として認識される。
【００８０】
なお、光散乱層１８ａで乱反射する光に関しては、その偏光軸がずれる成分を含んでおり、その光成分は偏光分離フィルム１２で反射して、再度、光散乱層１８ａへ戻り、偏光分離フィルム１２の偏光軸に合うまで反射を繰り返した後に上方へ抜けて行く。これに対し、偏光分離フィルム１２に代えて通常の偏光板を用いた従来の構造では、偏光軸がずれている光成分はその偏光板に吸収されて上方へは抜けてこない。つまり、偏光分離フィルム１２を用いた本実施形態によれば、光散乱層１８ａで反射した光を効率良く外部へ導くことができ、よって、明るくて見易い表示状態を得ることができる。
【００８１】
以上により、外部自然光を用いて表示を行う場合には、光沢のある銀色の金属メタリック調の背景地の上に数字等の情報を非光沢の灰色等で表示できる。バックライト１８の光散乱層１８ａの色を灰色以外の適宜の色とすれば、数字等の情報を灰色以外の任意の色で表示できる。
【００８２】
（バックライト１８を用いる場合）
次に、バックライト１８の発光を用いて表示を行う場合、特に背景地を表示する場合には、バックライト１８を点灯し、さらに液晶パネル８をＯＦＦ状態にする。すると、矢印Ｃで示すように、バックライト１８の発光すなわちランダム偏光から偏光分離フィルム１２によって紙面平行方向の直線偏光が取り出され、さらに、ＯＦＦ状態にある液晶表示装置８によってその直線偏光の偏光方向が９０゜捻られて紙面垂直方向の直線偏光に変換される。この直線偏光は偏光板１１によって吸収又は分散されて外部への出射が阻止されるので、外部からは“黒色”の背景色として認識される。
【００８３】
次に、バックライト１８の発光を用いて数字等の情報を表示する場合には、バックライト１８を点灯し、さらに液晶パネル８をＯＮ状態にする。すると、矢印Ｄで示すように、バックライト１８の発光から偏光分離フィルム１２によって紙面平行方向の直線偏光が取り出され、その直線偏光が、ＯＮ状態にある液晶パネル８を透過し、さらに偏光板１１を透過して外部に表示される。本実施形態では、バックライト１８の表面を灰色の光散乱層１８ａとしたので、バックライト１８が白色で発光すれば、数字等が灰色で表示される。
【００８４】
以上により、暗くて外部自然光が入らない場合等にバックライト１８からの発光を用いて表示を行うときには、黒色の背景地の上にバックライト１８の発光色によって数字等が時刻その他の情報として表示される。なお、バックライト１８から赤色光を発光するようにすれば、黒の背景地の上に赤色によって情報を表示できる。このことは、例えば、夜間において白色地に黒色の情報を表示するような従来の場合に比べて、非常に見易い表示となる。
【００８５】
またこの表示形態は、例えば、ダイバーズウオッチにおいて警告表示を行う場合にも好都合である。すなわち、バックライト１８によって人間の目に付きやすい色、例えば黄色光を発光するように設定し、水圧や潜水時間等の関係でダイバーに警告を発する必要が生じた場合には、そのバックライト１８を発光させることにより、黒色地に黄色で警告表示を行い、もって、ダイバーに対して効果的な警告表示を行うことができる。
【００８６】
バックライト１８の発光色としては、観察者の要求に応じて種々の色を選定できる。この色として、例えば、橙色、赤色、黄緑色等を選定すれば、これらは黒色の背景地に対して識別し易い色であるので、観察者にとって見易い表示形態を得ることができる。
【００８７】
また、本実施形態によれば、バックライト１８を用いない外部光による表示のときと、バックライト１８を用いる表示のときとの間で、電子時計の表示形態が大きく変化するので、使用者の興味を惹き付け易い、きわめて有用な表示形態を実現できる。
【００８８】
バックライト１８は、その全面から単色の光を発光するものであっても良いし、あるいは、分割されたいくつかの領域のそれぞれから異なる色の光を発光することにより全体として多色で発光するようなものであっても良い。多色の光を発光するように設定すれば、バックライト１８を用いて数字等の情報を表示するとき、各種の情報を異なった色で表示できるようになり、それ故、種々の要求を満足できる多様な表示形態を得ることができる。
【００８９】
さらに、図９に示した従来装置では、矢印Ｐで示すように、外部光に基づいて白色背景地を表示するときに、その外部光が偏光板５３を往復で２回透過する。このように外部光が偏光板５３を透過すると、背景地として表示される白色の輝度が低下するので腕時計の表示状態が暗くなるおそれがある。これに対して本実施形態の腕時計によれば、図１の矢印Ｐで示すように外部自然光が偏光分離フィルム１２で反射することを利用して外部光によって背景地を表示するので、偏光板による光吸収の度合いが減少し、それ故、強度の強い光によって背景地を明るく表示できる。特に本実施形態のように、背景色として光沢のある金属メタリック調の背景地を表示するときには、強度の強い光を得ることがきわめて重要であり、この点から見ても本実施形態の構成が有利である。
【００９０】
（他の実施形態）
図７は、本発明に係る表示素子及び電子時計の他の実施形態の要部を示している。この実施形態が図１に示した先の実施形態と異なる点は、液晶パネル８と偏光分離フィルム１２との間に透光性のカラー層１７を配設したことである。この実施形態によれば、銀色に限られることなく、カラー層１７によって表現できる各種の色によって光沢ある金属メタリック調を表現できる。例えば、赤の金属色、緑の金属色、その他種々の金属色を表現できる。特に、カラー層として金色層を用いれば、金色の光沢ある金属メタリック調を表現でき、この場合には、より高級感ある表示を提供できる。
【００９１】
なお、カラー層１７は次のような処理、すなわち、偏光分離フィルム１２の表面及び／又は液晶パネル８のガラス基板１３ｂの表面に、適宜の色のカラーフィルムを貼着したり、金属微粒子その他のカラー微粒子を透光性を確保できる程度の密度で吹き付ける等といった処理によって形成できる。
【００９２】
図８は、本発明に係る表示素子及び電子時計のさらに他の実施形態の要部を示している。この実施形態が図１に示した先の実施形態と異なる点は、偏光分離フィルム１２とバックライト１８との間に半透過層１６を配設したことである。この半透過層１６は、例えば、灰色の半透過状態の光吸収体や、黒色の光吸収体に光透過用の複数の開口部を設けた材料等によって構成できる。
【００９３】
この実施形態では、外部自然光を用いると共に液晶パネル８をＯＮ状態にして数字等の情報を表示するとき、矢印Ｑで示すように、偏光分離フィルム１２から出た直線偏光が半透過層１６によって吸収又は散乱することにより、該部が鮮明な黒色で表示される。この方法によれば、図１に矢印Ｑで示すようにバックライト１８の表面における光の乱反射を利用して数字等の情報を灰色等の暗色で表示する場合に比べて、数字等の情報を鮮明な黒によって表示できる。
【００９４】
以上、好ましい実施形態を挙げて本発明を説明したが、本発明はそれらの実施形態に限定されるものではなく、請求の範囲に記載した発明の範囲内で種々に改変できる。
【００９５】
例えば、図４では、本発明の表示素子の一例として電子時計を例示したが、本発明はあらゆる種類の表示素子に対しても適用できる。
【００９６】
また、図１の実施形態では、外部自然光を用いて表示を行う場合に、偏光分離フィルム１２の鏡面反射光によって光沢のある背景地を表示し、その上に、光散乱層１８ａの反射色、すなわち光沢のない普通の色によって数字等を表示した。しかしながら、例えば、偏光板１１の偏光軸を９０゜ずらせば、光散乱層１８ａからの非光沢色によって背景地を表示し、その上に、偏光分離フィルム１２からの鏡面反射光によって数字等を光沢をもって表示できる。
【００９７】
また、上記実施形態では、腕時計に関して本発明を適用した場合を例示したが、ストップウオッチ等といったその他の構造の電子時計に対しても本発明を適用できることはもちろんである。また、発光手段として、ＥＬ以外の任意の発光装置を用いることもできる。
【００９８】
また、上記実施形態では、透過する偏光の偏光軸を変化させる状態と変化させない状態とのいずれかを選択できる透過偏光軸可変手段として、ＴＮ液晶を使った液晶パネルを用いたが、これに代えて、ＳＴＮ液晶やＥＣＢ液晶を使った液晶パネルを用いることもできる。
【００９９】
また、ある一方向の直線偏光を透過させ、それに対して直角方向の直線偏光を反射する作用を奏する第２偏光分離手段として、図２のような複数の薄膜を積層した多層構造を採用したが、これに代えて、▲１▼コレステリック液晶層の両側又は片側に（１／４）λ板を配設した構造の偏光分離板や、▲２▼ブリュースターの角度を利用して反射偏光と透過偏光とに分離する構造の偏光分離部材（ＳＩＤ  ９２ＤＩＧＥＳＴ  第４２７頁から第４２９頁）や、あるいは、▲３▼ホログラムを利用した偏光分離部材等を用いることもできる。
【０１００】
（別の実施例１）
図１０は、図７のカラー層１７に代えて、光拡散層１７を設け、さらに、図８の第１光学素子としての半透過層１６に代えて、光吸収層１６を設けたものである。光吸収層１６としては、灰色のトレーシングペーパーが好適である。また、発光手段１８としては、面発光型で薄緑色（Light Green）のＥＬ素子を用いている。この図では、偏光板１１の透過偏光軸と，偏光分離フィルム１２の透過偏光軸とを平行にしている。
【０１０１】
ＥＬ素子１８の発光を用いず、外部光を用いた場合、光拡散層１７により，電圧非印加部（ＯＦＦ部）では，外部光Ｐの偏光分離フィルム１２での鏡面反射光が拡散され、外部には白色に見える。また、電圧印加部（ＯＮ部）では，外部光Ｑの偏光分離フィルム１２の透過光は、光吸収層１６にて吸収され、一部光吸収層１６を透過してもＥＬ素子１８での反射面にて乱反射し，さらに光吸収層１６に到達した光も光吸収層１６にて吸収されるため、外部にはほとんど出射せず、黒色に見える。
【０１０２】
また、ＥＬ素子１８の発光を用いた場合、電圧非印加部（ＯＦＦ部）では，偏光分離フィルム１２の透過偏光軸と偏光板１１の透過偏光軸とが平行のため、ＴＮ液晶層８にて９０度回転した偏光が偏光板１１にて吸収され、外部には到達せず、黒色に見える。また、電圧印加部（ＯＮ部）では，発光エネルギーが大きいため、光吸収層１６を透過する。さらに光吸収層１６は、灰色のため、着色せず、偏光分離フィルム１２を透過した偏光成分がＴＮ液晶層８にて回転されないため，偏光板１１も透過し，外部には発光色（薄緑色）がそのまま見えることになる。
【０１０３】
（別の実施例２）
図１１は、図８の第１光学素子としての半透過層１６に代えて、光吸収層１６を設けたものである。光吸収層としては、可視光の透過率６０％の墨色の用紙を用いている。可視光の透過率としては、４０％以上８０％が好ましく、さらには、５５％以上６５％以下がより好ましい状態であった。また，発光手段１８としては、サイドライト型の赤色のＬＥＤをサイドに置き、その光を導光板により光吸収層１６側に導くタイプとした。
【０１０４】
発光手段（ＬＥＤ＋サイドライト）１８の発光光を用いず、外部光を用いた場合、電圧非印加部（ＯＦＦ部）では、外部光Ｐの偏光分離フィルム１２での鏡面反射光は，光拡散層１７が無いため、そのまま出射し，外部には銀色ミラーに見える。また、電圧印加部（ＯＮ部）では、外部光Ｑの偏光分離フィルム１２透過光が，光吸収層１６にて吸収され、また、サイドライト１８上での反射層により乱反射され、さらに光吸収層１６に吸収されるため、外部にほとんど出射しなくなり，黒色に見える。
【０１０５】
発光手段１８の発光光を用いた場合、電圧非印加部（ＯＦＦ部）では，偏光分離フィルム１２の偏光透過軸と偏光板１１の偏光透過軸とが平行で、間にあるＴＮ液晶層８により９０度回転されているため，外部には出射せず，黒色に見える。また、電圧印加部（ＯＮ部）では，ＬＥＤの発光エネルギーが大きいため、墨色のため着色させない光吸収層１６を透過し、外部には発光色がそのまま見え，赤色に見えることになる。
【０１０６】
（別の実施例３）
図１２は、図１０の第１光学素子としての光吸収層１６に代えて、着色層１６を設けたものである。着色層１８の色としては、オレンジフィルタを用い、外部光の偏光分離フィルム１２透過光をオレンジ色と着色するようにした。また、発光手段１８としては、薄緑色の面発光タイプのＥＬ素子を用いた。また、この実施例では、偏光板１１の透過軸と偏光分離フィルム１２の透過軸とを直交させた。
【０１０７】
発光手段１８による発光光を用いず、外部光を用いた場合、電圧非印加部（ＯＦＦ部）では，外部光Ｐの偏光分離フィルム１２の透過光は、オレンジフィルタの着色層１６を２回経由して外部にはオレンジ色に見える。また、電圧印加部（ＯＮ部）では，外部光Ｑの偏光分離フィルム１２での反射光が、光拡散層１２により拡散されるため、外部には白色に見える。
【０１０８】
発光手段１８による発光光を用いた場合、電圧非印加部（ＯＦＦ部）では，ＥＬ素子の発光光は着色層により着色され、やや発光色（薄緑色）がかったオレンジ色となる。また、電圧印加部（ＯＮ部）では，ＥＬ素子の発光光は偏光板１１を透過せず、黒色に見える。
【０１０９】
ＥＬ素子の波長特性はゆるやかなため，ＥＬ素子の発光色は淡い。この発光色が着色層を透過することによって、やや発光色がかった着色層の色となって見える。
【０１１０】
（別の実施例４）
図１３は、図１１の第１光学素子としての光吸収層１６に代えて、緑フィルターの着色層１６を設け、発光手段１８としては、面発光型の薄緑色の発光色のＥＬ素子を用いたものである。
【０１１１】
発光手段１８による発光光を用いず、外部光を用いた場合、電圧非印加部（ＯＦＦ部）では，外部光Ｐの偏光分離フィルム１２での鏡面反射光は，光拡散層１７が無いため，銀色ミラー色として、外部に出射する。また、電圧印加部（ＯＮ部）では，外部光Ｑの偏光分離フィルム１２の透過光は、着色層１６を２回介することにより，緑色に着色され、外部に出射する。
【０１１２】
発光手段１８による発光光を用いた場合、電圧非印加部（ＯＦＦ部）では，偏光分離フィルム１２の偏光透過軸と偏光板１１の偏光透過軸とが平行で、間にあるＴＮ液晶層８により９０度回転されているため、外部には出射せず，黒色に見える。また、電圧印加部（ＯＮ部）では，ＥＬの発光エネルギーが大きいため、着色層１６を透過し、外部には発光色が着色され、緑色に見える。
【０１１３】
（別の実施例５）
図１４は、図１３における発光手段１８としてのＥＬ素子に代えて、緑色のＬＥＤ素子と導光板を用いてサイドライト型として，第１光学素子としてオレンジフィルタの着色層１６とその下に半透過乱反射手段１６０を設けた。半透過乱反射手段１６０としては，一般的なコピー用紙を用いることができる。
【０１１４】
発光手段１８による発光光を用いず、外部光を用いた場合、電圧非印加部（ＯＦＦ部）では，外部光Ｐの偏光分離フィルム１２での鏡面反射光は，光拡散層１７が無いため，銀色ミラー色として、外部に出射する。また、電圧印加部（ＯＮ部）では，外部光Ｑの偏光分離フィルム１２の透過光は、着色層１６を２回経由し，コピー用紙１６０により乱反射されることにより，オレンジ色に着色され、外部に出射する。
【０１１５】
発光手段１８による発光光を用いた場合、電圧非印加部（ＯＦＦ部）では，偏光分離フィルム１２の偏光透過軸と偏光板１１の偏光透過軸とが平行で、間にあるＴＮ液晶層８により９０度回転されているため、外部には出射せず，黒色に見える。また、電圧印加部（ＯＮ部）では，ＬＥＤの発光エネルギーが大きいため、コピー用紙１６０とオレンジフィルターの着色層１６を透過し、発光色は、オレンジがやや淡くなって鮮やかに発色するものである。
【０１１６】
ＬＥＤは，波長特性が急峻なので、着色層の色との相性を合わせないと、着色層を効率よく発光光が透過しない。この場合の着色層は、波長特性をもったバンドパスフィルタである。
【０１１７】
なお、サイドライトによる発光は，ＬＥＤの近くと遠くとで，発光が均一化しないことがあるが，コピー用紙１６０を発光手段１８の上に設けたため、発光が均一化された。
【０１１８】
本発明の偏光板の透過軸と、偏光分離フィルムの透過軸との関係と，偏光板の外部に見える色との関係をまとめると、表のようになる。
【０１１９】
【０１２０】
【表１】
0003539206.tif 000002
【０１２１】
【発明の効果】
（１）所定偏光軸以外の直線偏光成分を反射する機能を持った第２偏光分離手段を用いるので、従来であれば偏光板によって吸収又は分散されていた光を反射によって表示に寄与させることができ、その結果、表示素子及び電子時計の背景色又は数字等の情報を格段に明るく表示できる。
【０１２２】
（２）また、第２偏光分離手段の表面を光を鏡面反射させる平滑面としたので、数字等の情報及び背景色に関する表示形態を光沢のある銀色の金属メタリック調で表示でき、これにより、表示素子及び電子時計の表示状態に高級感を持たせることができる。なお、第２偏光分離手段からの反射光の強度が弱いと希望通りの光沢色を得ることができないが、本発明のように所定偏光軸以外の直線偏光を反射する機能を持った第２偏光分離手段を用いれば、強度の強い反射光を得ることができるので、希望通りの光沢色を得ることができる。
【０１２３】
（３）透光性のカラー層を設けることにより、銀色以外の種々の色によって光沢ある金属メタリック調を表現できる。特に、請求項４のようにカラー層として金色層を用いれば、金色の光沢ある金属メタリック調を表現でき、その結果、より高級感のある表示を提供できる。
【０１２４】
（４）見る者にとって第２偏光分離手段の裏側に光散乱層を設けることにより、金属光沢色で表示される領域以外の領域を非光沢色とすることができ、その結果、背景色領域と数字等の情報表示領域とを明確に区別して表示できる。
【０１２５】
（５）発光手段を構成要件として加えることにより、外部自然光を用いた表示形態と発光手段を用いた表示形態とを、見る者の希望に応じて自由に選択できる。また、本発明のように、ある一方向の直線偏光を透過させると共にそれと直交する直線偏光成分を反射する機能を有する第２偏光分離手段を用いれば、２枚の偏光板を用いて表示を行うようにした従来の電子時計に比べて、外部自然光を用いる場合と発光手段を用いる場合との切り替えにより、背景色及び数字等の情報の表示形態を劇的に大きく変化させることができ、それ故、見る者に対して新鮮な驚きを与えることができる。
【０１２６】
（６）橙色等の色は黒色に対して目立つ色であるので、これらの色を用いて数字等の情報を表示すれば、明るくて見易く、しかも、人の目を引きつけ易い目立った表示を行うことができる。
【０１２７】
（７）１つの電子時計の表示面内で数字等の情報や背景色を異なるいくつかの色で表示できるようになるので表示を多様化できる。
【０１２８】
（８）白色光を発生する一般的な発光源を用いる場合でも、発光手段によって多色の発光を得ることができる。
【０１２９】
（９）複数の薄膜を積層して形成した薄膜積層構造の偏光分離フィルムを第２偏光分離手段として用いる場合，この構造の偏光分離フィルムは、きわめて薄い厚さで形成でき、しかも可撓性を付与することもできるので、電子時計の全体的な厚さを薄くでき、しかも、その製造工程を簡単にすることができる。
【図面の簡単な説明】
【図１】本発明に係る表示素子の一実施形態の要部を模式的に示す図である。
【図２】図１に示す構造の要部として用いられる偏光分離フィルムの内部構造を模式的に示す斜視図である。
【図３】図２に示す偏光分離フィルムの作用を模式的に示す図である。
【図４】本発明に係る電子時計の一実施形態である電子腕時計の一実施形態の断面構造を示す断面図である。
【図５】図４の電子腕時計で用いられるムーブメントを示す平面図である。
【図６】図５のムーブメントの断面図である。
【図７】本発明に係る表示素子の他の実施形態の要部を模式的に示す図である。
【図８】本発明に係る表示素子のさらに他の実施形態の要部を模式的に示す図である。
【図９】従来の表示素子の一例の要部を模式的に示す図である。
【図１０】電子時計の別の実施例１の要部を模式的に示す図である。
【図１１】電子時計の別の実施例２の要部を模式的に示す図である。
【図１２】電子時計の別の実施例３の要部を模式的に示す図である。
【図１３】電子時計の別の実施例４の要部を模式的に示す図である。
【図１４】電子時計の別の実施例５の要部を模式的に示す図である。
【符号の説明】
１            ケース
２            ムーブメント
３            ガラス板
４            裏ぶた
６            腕バンド
７            パネル枠
８            液晶パネル（透過偏光軸可変手段）
９            電池
１１            偏光板（第１偏光分離手段）
１２            偏光分離フィルム（第２偏光分離手段）
１３ａ，１３ｂ  ガラス基板
１４            透明電極
１６            半透過層
１７            カラー層
１８            バックライト（発光手段）
１８ａ          光散乱層
１６０          発光光均一化手段
Ａ，Ｂ        異種類の薄膜層
Ｃ，Ｄ        バックライト光路
Ｅ            透過軸
Ｆ            吸光軸
Ｌ            液晶
Ｐ，Ｑ        外部光光路
【図１】
0003539206.tif 000003
【図２】
0003539206.tif 000004
【図３】
0003539206.tif 000005
【図４】
0003539206.tif 000006
【図５】
0003539206.tif 000007
【図６】
0003539206.tif 000008
【図７】
0003539206.tif 000009
【図８】
0003539206.tif 000010
【図９】
0003539206.tif 000011
【図１０】
0003539206.tif 000012
【図１１】
0003539206.tif 000013
【図１２】
0003539206.tif 000014
【図１３】
0003539206.tif 000015
【図１４】
0003539206.tif 000016